(57)【要約】本考案は、オフィス用品、勉学用品と合わせて使用できる多機能のカバー装置を提供する。当該多機能のカバー装置は、中空の板状体（１０）を含み、当該板状体上に一つの貫通窓（１１）を設け、窓の上と下の側壁上に電気コネクタとして使用できて上下の方向に伸縮できる少なくとも２組の金属連結柱（２０）を設け、窓（１１）の内に上記金属連結柱を通じて一つの写真フレーム（３０）と分離自在に連結しており、前記写真フレームの中に写真、図表資料及びパーソナルディジタルアシスタント（「PDA」）などの一つ又は二つを同時に入れて置くことができる。本考案の多機能のカバー装置は、PDAなど電子装置を収容し、且つ写真フレームとして使用でき、音響拡大と照明などの機能も提供できるので、使用者の勉学と作業により多大の便利を与えるものである。
0003132644.tif 000002
【実用新案登録請求の範囲】
【請求項１】
オフィス用品、勉学用品と結合して使用できる多機能のカバー装置であって、中空の板状体（１０）を含み、当該板状体上に一つの貫通窓（１１）を設け、窓の上と下の側壁上に電気コネクタとして使用できて上下の方向に伸縮できる少なくとも２組の金属連結柱（２０）を設け、窓（１１）の内に上記金属連結柱を通じて一つの写真フレーム（３０）と分離自在に連結しており、前記写真フレームの中に写真、図表資料及びパーソナルディジタルアシスタント（「PDA」）の一つ又は二つを同時に収容することができることを特徴とする多機能のカバー装置。
【請求項２】
請求項１記載の多機能のカバー装置において、写真フレーム（３０）は、枠状をなし、その前側における四つの隅部に写真固定用の内部に延びる写真押圧部（３１）を設け、その上と下の枠に金属連結柱（２０）の差込孔（３２）を設け、写真フレーム（３０）の中に前方から後方に向けて透明且つ柔軟なプラスチック片（３３）、押圧板（３４）と後部カバー板（３５）を設け、写真を透明のプラスチック片（３３）と押圧板（３４）の間に挿入し、押圧板（３４）の上と下の枠にそれぞれ金属連結柱（２０）と対応する三つの取り付け用の凹溝（３４１）を設けることを特徴とする多機能のカバー装置。
【請求項３】
請求項２記載の多機能のカバー装置において、後部カバー板（３５）と押圧板（３４）の間にスプリング（３６）を設け、その板面上に取外し用の孔（３５１）を設けることを特徴とする多機能のカバー装置。
【請求項４】
請求項２記載の多機能のカバー装置において、前記写真フレーム（３０）の内部枠の形状はPDA（４０）の外形と一致することを特徴とする多機能のカバー装置。
【請求項５】
請求項２記載の多機能のカバー装置において、PDA（４０）の上と下の両側縁部に、中空の板状体窓（１１）上の金属連結柱（２０）の差込用の、PDAの出力端子となる連結孔（４１）を設けており、前記金属連結柱（２０）を写真フレーム上の差込孔（３２）を通じて移動自在に当該連結孔に差し込むことによって、PDA（４０）と中空の板状体（１０）とを連結することを特徴とする多機能のカバー装置。
【請求項６】
請求項５記載の多機能のカバー装置において、前記金属連結柱（２０）は二つの柱状体（２１）、（２２）と、二つの柱状体を連結するサポートプレート（２３）によって構成されており、前記柱状体（２１）を板状体（１０）の内部枠（１２）上の柱孔（１２１）の中に挿入し、柱状体（２２）を内部枠上の金属連結ブラケット（１３）内の柱孔（１３１）の中に挿入し、柱孔（１３１）の中にスプリング（５０）を設けて、サポートプレート（２３）を内部枠（１２）上に戴置することを特徴とする多機能のカバー装置。
【請求項７】
請求項６記載の多機能のカバー装置において、前記金属連結柱（２０）は中空の板状体（１０）の内部枠（１２）上の柱孔（１２１）及び、金属連結ブラケット（１３）上の柱孔（１３１）の中に上下の方向に移動できることを特徴とする多機能のカバー装置。
【請求項８】
請求項１記載の多機能のカバー装置において、中空の板状体（１０）の腔部内に拡声器（６０）、外部の電気器具と連結するための連結端子（７０）、充電電池（８０）及び照明用の発光体（９０）を設け、中空の板状体上に電源スイッチ１００を設け、これらをそれぞれ導線と金属連結柱２０をもって連結することを特徴とする多機能のカバー装置。
【考案の詳細な説明】
【技術領域】
【０００１】
本考案は、オフィス用品、勉学用品と合わせて使用できるカバー装置に関する。とくに、PDA又はMP３などの電子製品を収容することができて、且つラウドスピーカー及び発光装置を設けている多機能のカバー装置に関する。
【従来の技術】
【０００２】
ディジタル技術の発展に伴い、パーソナルディジタルアシスタント（以下「PDA」）という小型コンピュータが、多種作られた。こうした小型コンピュータは、サイズが小さいし、携帯に便利で、内蔵の情報量も多く、使用が便利であるなどのメリットがあるため、好評であり、現代社会における情報科学の高度発展の要求に完全に適応できて、かつオフィス用及び勉学用の様々な需要を満足させることができる。
【０００３】
日常の生活と仕事中、人は常に折り畳み式のノートブック、ファイルなどのオフィス用品を使用し、また、書くと同時にいつも資料を調べる必要がある。しかし、従来のPDAが、ノートブックなどの筆記用品と一緒のものではないため、人は、勉学や作業を行うとき、同時に筆記用のノートブックとPDAとを持たざるを得ず、不便をもたらす。また、もう一方で、従来のオフィス用や勉学用の道具や本のカバーは、常に紙板、プラスチックあるいは皮などによって作られた中実の固体であって、単なる防護と装飾の機能を持つに過ぎない。したがって、従来のカバー装置は、すでに社会の進歩と経済発展の要求を満足させることができないものとなっている。
【考案の内容】
【０００４】
本考案は、従来のカバー装置の欠点を克服するため、PDAなどの電子装置を取り付け、かつ写真フレームとして使用し、音響拡大、照明などの効能を提供することができる多機能のカバー装置を提供することによって、人々の勉学と仕事により大きな便宜を与えるものである。
【０００５】
上記目的を実現するため、本考案は、多機能のカバー装置を提供する。当該装置は、中空の板状体（１０）を含み、当該板状体上に一つの貫通窓（１１）を設け、窓の上と下の側壁の上に、電気コネクタとして使用でき、上下の方向に伸縮できる少なくとも２組の金属連結柱（２０）を設けて、窓（１１）の内に上記金属連結柱を通じて一つの写真フレーム（３０）と取り外し自在に連結しており、前記写真フレームの中に写真、図表資料及びPDAなどの一つ又は二つを同時に入れることができる。
【０００６】
写真フレーム（３０）は、枠状を形成し、その前側における四つのコーナーの箇所に写真固定用の内部写真押圧部（３１）を設け、その上と下の枠に金属連結柱（２０）の差し込み用の孔（３２）を設けており、写真フレーム（３０）の中に前方から後方に向けて順に透明であるソフトのプラスチック片（３３）、押圧板（３４）と後部カバー板（３５）を設け、写真を透明のプラスチック片（３３）と押圧板（３４）の間に入れる。
【０００７】
後部カバー板（３５）と押圧板（３４）の間にスプリング（３６）を設けて、その板面上に取出し用の穴（３５１）を設ける。
【０００８】
写真フレーム（３０）の内部枠の形状はPDA（４０）の外形と一致する。
【０００９】
PDA（４０）の上と下の両側枠に、中空の板状体窓（１１）上の金属連結柱（２０）の差込用の、PDAの出力端子となる連結孔（４１）を設けており、前記金属連結柱（２０）を写真フレーム上の差込孔（３２）を通じて移動自在に当該連結孔に差し込むことによって、PDA（４０）と中空の板状体（１０）とを連結する。
【００１０】
金属連結柱（２０）は二つの柱状体（２１）、（２２）と、二つの柱状体を連結するサポートプレート（２３）によって構成されており、前記柱状体（２１）を板状体（１０）の内部枠（１２）上の柱孔（１２１）の中に位置させ、柱状体（２２）を内部枠の上の金属連結ブラケット上の柱孔（１３１）に挿入し、柱孔（１３１）の中に柱状体（２０）をとり巻くようにスプリング（５０）を挿入する。サポートプレート（２３）を内部枠（１２）の頂面に戴置する。
【００１１】
金属連結柱（２０）は中空の板状体（１０）の内部枠（１２）上の柱孔（１２１）及び、金属連結ブラケット（１３）内の柱孔（１３１）の中に上下の方向に移動できる。
【００１２】
中空の板状体（１０）の腔部の中に拡声器（６０）、外部の電気器具との連結用の連結端子（７０）、充電電池（８０）及び照明用の発光体（９０）を設け、また、中空の板状体上に電源スイッチ１００を設けており、これらをそれぞれ導線で金属連結柱２０と連結する。
【００１３】
本考案は、従来のカバー装置の単一の構造と効能を改良し、現代のディジタル製品、即ちPDAまたはMP3などと合わせて使用できる多機能のカバー装置を提供するものである。これによって、使用者に大量の情報を提供できるほか、携帯と使用にも便宜を与える。また、本考案は、写真及び広告、宣伝の資料を収容することができるフレーム、PDAの音響を拡大するラウドスピーカー及び照明を補足する発光装置を設けて、より多くの実用的機能を具備することができる。したがって、本考案は、使用者、特にオフィスの職員や学生に理想的なオフィス用と勉学用の道具を提供する。
【具体的な実施例】
【００１４】
以下の各実施例は、本考案をさらに詳細に説明するためのものであり、本考案にいかなる制限を加えるものではない。
【００１５】
図１と図２に示すように、本考案の多機能のカバー装置は一つの中空の板状体１０を含み、それはプラスチック、皮、硬い紙板などの材料によって作られたものである。本実施例においては、それはプラスチックで作られた中空の板状体で、本考案の装置の主要な部分である。当該板状体上に一つの貫通する四辺形の窓１１を設ける。当該窓は板状体の内部の枠１２によって形成される。窓の上と下の側壁上に３組の上下方向に伸縮できる金属連結柱２０を設ける。各組は上と下の側壁上に設けられた二つの対称の金属連結柱によって構成されており、分解可能の安定した連結構造を形成する。金属連結柱は同時に電気コネクタとして使用できる。図５に示すように、金属連結柱２０は、二つの柱状体２１、２２と、この二つの柱状体を連結するサポートプレート２３によって構成されており、前記柱状体２１を板状体１０の内部枠１２上の柱孔１２１の中に挿入し、柱状体２２を内部枠上の金属連結ブラケット１３の柱孔１３１内に挿入し、柱孔１３１内にスプリング５０を柱状体２２を包囲するように設け、サポートプレート２３が内部枠１２上に戴置する。また、金属連結柱２０は中空の板状体１０の内部枠１２内の柱孔１２１及び、金属連結ブラケット１３内の柱孔１３１中を上下の方向に移動できる。
【００１６】
図３に示すように、窓１１の中で金属連結柱を通じて写真フレーム３０と分離できるように連結しており、写真フレームの中に写真、図表資料、PDAなどの一つ又は二つを同時に入れて置くことができる。当該写真フレーム四辺形の枠中に入れておく写真を固定するため、その前側における四つの隅部に写真固定用の内部に伸びた写真押圧部３１を設ける。写真フレームの上と下の枠に金属連結柱２０の差込孔３２を設けており、写真フレーム３０の中に前方から後方に向けて透明で柔軟なプラスチック片３３、押圧板３４、後部カバー板３５を設け、写真を透明のプラスチック片３３と押圧板３４の間に挿入しておく。また、押圧板３４を押すため、後部カバー板３５と押圧板３４の間における四つのすみ部付近の箇所に四つのスプリング３６を設けることにより、押圧板を支持し、押圧板に圧力を加える効果を生じ、押圧板を写真フレームの前方に緊圧させる。押圧板３４の上と下の縁部にそれぞれ金属連結柱２０と対応する三つの取付け用の凹溝３４１を設ける。また、取り外しの時PDAを押し出すため、後部カバー板面上に取り外し用の孔３５１を設ける。写真フレーム３０の内部枠の形状とPDA４０の外形とを一致させ、PDAの四つの隅部の箇所の形状と写真フレームの四つの隅部の箇所における写真押圧部３１の形状とを一致させる。
【００１７】
また、図１に示したように、写真フレーム３０の中にPDA４０を収容することができる。PDA４０の上と下の両縁部に、中空板状体窓１１上の金属連結柱２０の差込用の、PDAの出力端子として作用する連結孔４１を設けており、前記金属連結柱２０を写真フレーム上の差込孔３２を通じて移動自在に当該連結孔に差し込むことによって、PDA４０と中空の板状体１０とを連結する。
【００１８】
PDAの音響シグナルを拡大して放送するため、中空の板状体１０の腔部内に拡声器６０、外部の電気器具、例えばコンピュータや充電器などとの連結用の連結端子７０を設ける。また、板状体の内部に発光体９０を設ける。当該発光体は発光ダイオードで良く、充電電池８０より電力の供給を受ける。充電電池は、連結端子７０を通して充電器と連結することによって重複して充電することができる。電池８０と発光体９０は独立した照明装置を構成し、光源が足りない場合に人々の筆記や閲覧のために照明を提供する。また、発光体９０を制御するため、中空の板状体上に電源スイッチ１００を設ける。拡声器６０、連結端子７０、及び充電電池８０はそれぞれ導線と金属連結柱２０で連結される。
【００１９】
金属連結柱２０が伸縮できるので、前記フレーム３０及びPDA４０とも、必要に応じて簡単に板状体から取り外しができて、また１８０度回転した後に使用することができる。
【００２０】
強調すべきは、本考案のカバー装置において、写真フレーム３０を板状体１０の中に入れ、単に写真フレームとして使用することができるし、写真フレームの中に、写真、広告、図面及び文字資料などを入れておくこともできる。また、その中にPDAを置いて使うこともできることである。
【００２１】
図４は、本考案の応用実施例を示す。当該カバー装置は公知の方法で折り畳み式のノートブック、ファイルと書籍などと連結してそれらのカバーとして使用できる。本例において、カバー装置はノートブックに使用し、図４Aに示すような、その中に取りだし自在の写真フレームを設け、且つPDA、MP3などの電子装置を収容することができるノートブック２００を構成する（図４参照）。図４Cにおいて、PDAの正面は外側に位置し、写真フレームの背面が見られる。図４Dに示すのは、PDAの正面をノートブックの内側に位置させた状態である。その図面に示したように、ノートブックを開いて使用するとき、筆記すると同時にPDA中の資料を簡単に閲覧することができる。また、PDA中の音響を大きい口径の拡声器６０を通じて発し、その小さい口径の拡声器による音響の欠点を克服することができる。さらに、照明の光源が足りない場合、スイッチ１００で発光体９０を作動して、筆記と閲覧に便宜を与える。
【００２２】
また、必要により、PDA（またはMP３などの製品）を全体の構造から取り外すことができる。分離時、後部カバー板３５上にある二つの取り外し用の孔３５１を利用してPDAを前に押し出す。その時、写真フレームはまだカバー装置の板状体１０の窓の中に置かれているため、カバー装置に何らの影響を及ぼすことなくその外観を良好に維持することができて、PDAの取り外しによって窓を露出することを免れる。
【図面の簡単な説明】
【００２３】
【図１】図１は、本考案の全体構造を分解して示す立体概念図。
【図２】図２は、本考案の中空板状体の構造に関する平面概念図で、図２Aは該板状体の正面図、図２Bは該板状体の断面図。
【図３】図３は、本考案の写真フレームの全体構造に関する平面概念図で、図３Aはその平面図、図３Bはその断面図、図３Cは部品に分解して示す立体概念図。
【図４】図４は、本考案の応用実施例に関する概念図で、図４Aは、写真フレームの中に挿入されたノートブックとPDAの解体概念図。図４Bは、写真フレームの中にPDAとノートブックを収容した状態の概念図。図４Cは、写真フレームと一緒に設けられたノートブックを開いた状態の構造に関する概念図。図４DはPDAと一緒に設けられたノートブックを開いた状態の構造に関する概念図。
【図５】図５は、本考案の伸縮可能のコネクタと板状体とを連結する概念図。図５Aは部品解体の概念図、図５Bは断面図。
【図１】
0003132644.tif 000003
【図２Ａ】
0003132644.tif 000004
【図２Ｂ】
0003132644.tif 000005
【図３Ａ】
0003132644.tif 000006
【図３Ｂ】
0003132644.tif 000007
【図３Ｃ】
0003132644.tif 000008
【図４Ａ】
0003132644.tif 000009
【図４Ｂ】
0003132644.tif 000010
【図４Ｃ】
0003132644.tif 000011
【図４Ｄ】
0003132644.tif 000012
【図５Ａ】
0003132644.tif 000013
【図５Ｂ】
0003132644.tif 000014